(57)【特許請求の範囲】
【請求項１】
竿支持用の係止部材（２）が竿本体（１）に設けられてなる釣具竿であって、前記係止部材（２）は、竿本体（１）に対して着脱自在に且つ出状態と没状態を取りうるように設けられてなり、
前記係止部材（２）は、線状に形成され、両端部が竿本体（１）に対して着脱自在とされてなり、更に、両端部を接合又は近接させて前記竿本体（１）に取り付けることにより円形の形態を成して前記竿本体（１）に対して突出した出状態と、両端部を離反させて前記竿本体（１）に取り付けることにより直線状の形態を成して前記竿本体に沿う没状態とを取りうる弾性を有し、しかも、繊維からなる表面材が備えられてなることを特徴とする釣具竿。
【請求項２】
前記係止部材（２）は、没状態に付勢されている請求項１記載の釣具竿。
【発明の詳細な説明】
【０００１】
【発明の属する技術分野】
本発明は、釣竿、玉網等の釣具竿に関し、詳しくは、尻手環等の竿支持用の係止部材が竿本体に設けられてなる釣具竿に関する。
【０００２】
【従来の技術】
従来、この種の釣具竿としては、例えば、図１２に示すように、一般に尻手環と称される竿支持用の係止環（環状の係止部材１１２）が、竿本体竿尻部に設けられてなるものが知られている。
このように係止環１１２が備えられた釣竿は、係止環１１２にロープ１２０を挿通し、該ロープ１２０に係止環１１２を係止させ、更に、該ロープ１２０を船べりや荷掛けに締結することにより、該ロープ１２０を介して船べり等に支持されて、不意の流出に備えられている。
このように使用されることにより、例えば、磯場において釣竿を手から滑り落とした場合や、予想を上回る魚がヒットして海等の方に釣竿が引っ張られるような場合であっても、釣竿が海等に落ちるといった不測の事態が防止される。
【０００３】
また、図１３に示すように、釣具竿立掛用の枝部１１５ｂを有する杭１１５、即ち、荷掛け１１５（ピトンと称される場合もある）が打設された磯場や砂浜等においては、該荷掛け１１５に釣具竿を立て掛ける場合があるが（図１３においては、釣具竿として玉網を示している。）、このような荷掛け１１５に立て掛けられる釣具竿１１１の中には、例えば、玉網のように、荷掛け１１５の一部（先端部１１５ａ）を環内に係入して、該荷掛け１１５に係止するための係止環１１２が係止部材として竿本体１１１に設けられてなるものも知られている。
例えば、斯かる係止環１１２が設けられた玉網は、図１３に示すように不要時においては係止環１１２が荷掛け１１５の一部１１５ａに引っかけられて（係止されて）該荷掛け１１５に支持され、要時においては係止環１１２が荷掛け１１５から外されて使用される。
このように使用されることにより、不要時において、玉網が不用意に倒れる虞も少なく、また、大波が押し寄せても、係止環１１２を介して荷掛け１１５に支持されていることから波に浚われる虞も防止される。
【０００４】
このように、従来、所望の場所に釣具竿を維持（支持）させるべく、竿支持用の係止部材が竿本体に設けられてなる種々のものが使用されている。
【０００５】
しかしながら、上述の如き係止部材の設けられた釣具竿を、他の釣具竿（特に、釣竿）と共に、ロッドケースに収容すると、係止部材が引っ掛かったりすることにより他の釣具竿（例えば、穂先やガイド）を損傷させる場合がある。
【０００６】
また、係止部材の設けられた釣具竿は、係止部材を使用することにより上述の如き利点を有するものであるが、係止部材に釣糸が引っ掛ったりする等、換えって釣りの邪魔になることも多い。
【０００７】
【発明が解決しようとする課題】
そこで、本発明は、上記問題点に鑑みなされたもので、係止部材が設けられているにもかかわらず、他の釣竿等の釣具竿と共にロッドケースに収容しても、他の釣具竿を損傷させる虞も少なく、しかも、係止部材を使用しない場合には、係止部材が釣りの邪魔になる虞の少ない釣具竿を提供することを課題とする。
【０００８】
【課題を解決するための手段】
上記課題を解決すべく、本発明は、竿支持用の係止部材が竿本体に設けられてなる釣具竿であって、前記係止部材は、竿本体に対して着脱自在に且つ出状態と没状態をとり得るように設けられてなり、前記係止部材（２）は、線状に形成され、両端部が竿本体（１）に対して着脱自在とされてなり、更に、両端部を接合又は近接させて前記竿本体（１）に取り付けることにより円形の形態を成して前記竿本体（１）に対して突出した出状態と、両端部を離反させて前記竿本体（１）に取り付けることにより直線状の形態を成して前記竿本体に沿う没状態とを取りうる弾性を有し、しかも、繊維からなる表面材が備えられてなることを特徴とする釣具竿を提供する。
【０００９】
斯かる構成からなる釣具竿は、出状態にして係止部材を使用し、他の釣具竿と共にロッドケースに収容する際等、係止部材を使用しない場合には、係止部材を没状態とすることにより、他の釣竿等の釣具竿と共にロッドケースに収容しても、他の釣具竿が係止部材によって損傷する虞も少なく、しかも、釣糸が係止部材に引っ掛かったりすることが防止される等、係止部材が釣りの邪魔になる虞も少ないものとなる。
尚、本発明において、竿支持用の係止部材としては、出状態において環を形成する線状部材等を挙げることができる。
【００１０】
本発明に係る釣具竿においては、前記係止部材が没状態に付勢されているものが好ましい。
斯かる構成からなる釣具竿においては、出状態の係止部材を没状態にする際、没状態に付勢する付勢力を利用することにより、係止部材を容易に没状態にすることができる。
しかも、没状態にされた係止部材が不用意に出状態となる虞が低減され、従って、他の釣具竿と共にロッドケースに収容された際に他の釣具竿が係止部材によって損傷される虞や、係止部材が釣りの邪魔になる虞がより一層低減されたものとなる。
【００１１】
【発明の実施の形態】
以下、釣具竿について、図面を参照しつつ説明する。
【００１２】
図１は、一形態の釣竿を示す一部省略側面図であり、図２（イ）は、図１におけるＡ−Ａ線断面図である。
図１に示すように、本形態の釣竿は、長尺状の竿管１ａと、該竿管１ａの竿尻部に外嵌装着されたリールシート部１ｂと、該リールシート部１ｂの竿尻側にて竿管１ａに外嵌装着され、係止部材２を保持する保持部材１ｃとを有する長尺状竿本体１を備え、更に、該竿本体１に、保持部材１ｃを介して竿支持用の係止部材２が設けられて構成されている。
【００１３】
図２（ロ）は、図２（イ）の係止部材２を竿本体１から突出させた状態の断面図である。図２（イ）（ロ）に示すように、係止部材２は、竿本体１（保持部材１ｃ）に対して出没自在に設けられており、竿本体１に対して突出する出状態（図２（ロ）の状態）と、没入したり竿本体１に沿ったりすること等によって竿本体１に対して突出しない没状態（図２（イ）の状態）とを取りうるように、竿本体１に設けられている。
【００１４】
図１及び図２に示すように、前記保持部材１ｃは、竿管１ａの挿通される中央孔を有するように、リング状に形成されてなり、軸方向の中間部において、前記係止部材２を収容可能な周方向に延びるスリット３が周方向に沿った半周分（又はそれ以下）に及ぶように設けられている。
【００１５】
前記係止部材２は、合成樹脂製の線状部材２からなり、出状態においては、線状部材２と竿本体１とで、ロープ等を係入可能な環（尻手環）が形成される構成である。尚、自然状態において、係止部材２は、前記スリット３の長手方向（保持部材１ｃの周方向）に沿うように該スリット３内に略収容されて、保持部材１ｃ（竿本体１）に略没入した没状態となっている（図２（イ）参照）。また、前記線状部材２は、没状態では、竿本体１から突出しないため、環が消滅する構成である。
【００１６】
図３は、出状態（ロ）及び没状態（イ）における線状部材２及び保持部材１ｃを、保持部材１ｃの内側から見た状態図である。
図３に示すように、前記線状部材２には、両端部に前記スリット３よりも幅広となるように係止凸部４ａの備えられたストッパー部材４が取り付けられている（図３においては、一端側のみを示す。）。
このストッパー部材４は、前記保持部材１ｃの内周側に配置されており、前記線状部材２の保持部材１ｃからの脱抜が防止されている。
また、前記保持部材１ｃには、係止凸部４ａを収容するように内側から外方に凹入した凹入溝５が、前記スリット３の長手方向両端部３ａから所定距離だけ上方に延びた状態で設けられている。
この凹入溝５は、ストッパー部材４がスリット３の長手方向（保持部材１ｃの周方向）に沿って摺動しうるように、該スリット３の長手方向に沿って設けられている。
【００１７】
また、この凹入溝５によって、ストッパー部材４におけるスリット３の長手方向に沿った移動可能距離が規制されている。
即ち、図３（イ）に示す没状態では、前記係止凸部４ａは、前記凹入溝５の基端５ａ側（スリット３の端縁３ａ側）に配置された状態となっており、ストッパー部材４を引き上げて出状態とすると、図３（ロ）に示すように、前記係止凸部４ａは、前記凹入溝５の先端５ｂに引っ掛かった状態となるため、ストッパー部材４の移動可能距離は、係止凸部４ａが凹入溝５の基端５ａから先端５ｂまでの範囲に規制されている。また、ストッパー部材４の移動が規制されるため、出状態における線状部材２の突出量も規制されている。
【００１８】
また、前記線状部材２は、没状態に付勢されている。具体的には、前記線状部材２は、その保有弾性によって出状態及び没状態の何れにおいても両端部が離反する方向に付勢されており、この両端部が離反する付勢力によって、両端部が最も離れた状態である没状態に付勢されている。
【００１９】
このように構成された釣竿は、係止部材２を使用する場合、先ず、ストッパー部材４を周方向上方に摺動させて係止部材２を没状態から出状態とし、係止部材２を使用しない場合には、係止部材２の没状態に付勢される付勢力を利用することにより係止部材２を没状態として使用される。
【００２０】
尚、本形態においては、保持部材１ｃの周方向に沿ってスリット３が設けられ、竿本体１の周方向にストッパー部材４を摺動させることにより、係止部材２が出状態と没状態とを取りうる構成を採用したが、例えば、図４に示すように、保持部材１ｃの軸方向に沿ってスリット３が設けられ、竿本体１の長手方向にストッパー部材４を摺動させることにより、係止部材２が出状態（破線で示す）と没状態（実線で示す）とを取りうる構成を採用しても良い。
【００２１】
また、本形態においては、線状部材２の両端に設けられたストッパー部材４を摺動させて、係止部材２を出没させる構成を採用したが、図４に示すように、係止部材２の一端２ａのみに、スリット３に沿って摺動可能なストッパー部材４を取付け、他端２ｂをスリット３の端縁３ａに固定し、一端２ａに設けられたストッパー部材４を摺動させて、係止部材２を出没させる構成であってもよい。
更に、本形態においては、保持部材１ｃを備えた竿本体１に係止部材２が出没自在となる構成を採用したが、保持部材１ｃのない竿本体１に出没自在となる構成、例えば、竿管１ａにスリット３が設けられ、該スリット３に係止部材２が略収容される没状態と、該スリット３から突出する出状態とを取りうる構成であってもよい。
【００２２】
また、本形態においては、係止部材２として、出状態において環を形成する線状部材２を例に取って説明したが、例えば、環状に形成された係止部材２（係止環）が設けられ、該係止部材２が環状のまま竿本体１から出没自在となる構成であってもよい。
更に、本形態においては、釣具竿として釣竿を例示したが、釣具竿は、釣竿に限定されず、例えば、玉網等の場合であってもよい。
【００２３】
〈実施形態〉
次に、釣具竿としての玉網の実施形態について説明する。
図５に示す様に、本実施形態の玉網は、竿管１ａの基端に尻栓１ｄが装着された長尺状の竿本体１を備え、該竿本体１の先端に、魚を掬う為の掬い網１０が装着されて構成されている。
【００２４】
この竿本体１の長手方向における中間点よりも先端側には、ウレタン表面被膜が形成され、係止部材２が装着されうる被装着部１ｅが備えられている。
前記ウレタン表面被膜は、竿管１ａの外周面に２液型ウレタン樹脂塗料が塗布されることにより形成されている。前記２液型ウレタン樹脂塗料として具体的には、例えば、カシュー株式会社製のセノソフトII（商品名）が使用されている。
【００２５】
前記竿本体１の被装着部１ｅには、線状に形成された係止部材２が取り付けられている。
図６は、係止部材２を示す斜視図である。
図６に示すように、該係止部材２は、弾性材で直線状に形成され、自然状態（外力を加えない状態）では直線状に維持されると共に、該係止部材２の保有弾性に抗して両端部２ａ、２ｂを接合させると、直線状に戻ろうとする復元力によって円形の形態を成し且つ円形の状態で維持し得る弾性を備えて構成されている。
具体的には、直径３ｍｍの断面円形とされたポリエチレン樹脂等からなり且つ直線状となるように付勢された弾性線材７が軸方向に沿うように備えられ、該弾性線材７の表面側（外周側）に、ポリプロピレン繊維（例えば、クラレ製「パイレン」（商品名））等の繊維からなる紐（例えば、八打紐）、布等の表面材８が備えられて構成されている。
【００２６】
そして、該係止部材２は、両端部２ａ、２ｂを接合又は近接させて取り付けることにより係止部材２が円形等の形態を成して竿本体１に対して突出した出状態（図７参照）と、両端部２ａ、２ｂを離反させて取り付けることにより直線状の形態を成して竿本体１に沿う没状態（図８参照）とを取りうるべく、両端部２ａ、２ｂが竿本体１に対して着脱自在とされてなる。
即ち、係止部材２は、所定の弾性を備えてなると共に、両端部２ａ、２ｂが竿本体１に対して着脱自在で、両端部２ａ、２ｂを近接等させて又は離反させて取り付けることができることから、出状態と没状態を採ることができる。
尚、係止部材２は、両端部２ａ、２ｂに取り付けられた取付ベルト９を介することにより、竿本体１に取り付けられている。この取付ベルト９は、竿本体１に巻回し又は取り外すことにより、竿本体１に着脱しうるように構成されてなり、該取付ベルト９を介することにより、前記係止部材２は、それぞれ両端部２ａ、２ｂが竿本体１に着脱自在とされている。
【００２７】
この取付ベルト９の具体的構成は、例えば、図９に示されている。
同図に示されるように、前記取付ベルト９は、長手方向が係止部材２の長手方向と直交するように係止部材２の両端部２ａ、２ｂにそれぞれ縫着されており、各取付ベルト９は、帯状に形成され、一端部（基端部）にバックル１１が設けられて構成されている。
また、各取付ベルト９は、一面側（図６に於いては表面側）にウレタン表面被膜が形成されてなり、他面側には、同一面に雄雌が混在する面ファスナー１２（フリー面ファスナー）が設けられてなる。
【００２８】
前記係止部材２は、上述の如く、両端部２ａ、２ｂにおいて取付ベルト９を介して竿本体１に着脱自在に取り付けられているが、詳しくは、図９に示すように、先ず、一方の取付ベルト９を、ウレタン表面被膜の形成された面が内周面となるように、竿本体１の外周面に巻回し、バックル１１の無い側端縁部（先端部）をバックル１１内に通して緊張せしめ、図１０に示すように、バックル１１を挿通し外方に延在した延在部９ａを折り返し、該延在部９ａの内面と、竿本体１に巻回された巻回部分９ｂの外面とを面ファスナーを介して係合させることにより取付ベルト９を締め、次いで、もう一方の取付ベルト９を同様の方法で、竿本体１に巻回して締めることにより、竿本体１に取り付けられている。
尚、この係止部材２は、逆の手順を行うことにより、竿本体１から取り外しうる。
【００２９】
次に、本実施形態に係る玉網の使用方法の一例について説明する。
先ず、少なくとも一方の取付ベルト９を取り外し、図７に示すように、各取付ベルト９から延出することとなる係止部材２の延出方向が互いに離反する方向（Ｘ１、Ｘ２）となるように且つ両取付ベルト９が接合するように、取り外した取付ベルト９を竿本体１に再度取り付ける。
このようにすることで、係止部材２は、その保有弾性によって円状の形態を成し且つ別途外力を加えない限りその形態を維持し、竿本体１に対して突出した出状態となる。
【００３０】
次いで、図１１に示すように、荷掛け３０の枝３０ａ等に円形の形態とされた係止部材２を引っ掛け、玉網を荷掛けに掛止させる。
【００３１】
不要時に於いて、玉網をロッドケース等に収容する場合、先ず、取付ベルト９の少なくとも一方を取り外し、図８に示すように、各取付ベルト９から延出することとなる係止部材２の延出方向が互いに対向する方向（Ｙ１、Ｙ２）となるように且つ互いに最も離反するように、取り外した取付ベルト９を竿本体１に巻回して取り付ける（締める）。
【００３２】
このようにすることで、係止部材２は、竿本体１の軸方向に沿って直線状の形態を成す没状態となり、ロッドケース等に収容した場合に、玉掛け（係止部材２）が嵩張って、邪魔になる虞も低減する。
【００３３】
また、本実施形態に於いて、係止部材２は、弾性線材の表面側に繊維からなる表面材が備えられて構成されてなるので、弾性線材７が表面材８に保護されて、弾性線材７が岩場等に引っ掛かって傷つき、傷ついた部分において所望の弾性が失われるという虞が低減される。
更に、繊維からなる表面材８が備えられてなるので、係止部材２を把持した際に線材７が手に食い込み難く、把持しやすいものとなる。
【００３４】
更に、本実施形態に於いては、竿本体１の被装着部１ｅ及び取付ベルト９の一面側の双方に、ウレタン表面被膜が形成されてなるところ、ウレタン同士の密着性は非常に優れているため、竿本体１の取付ベルト９の巻回した位置が軸方向に沿ってずれる虞が低減され、荷掛け３０に係止した玉網がより一層安定する。
【００３５】
尚、本実施形態の釣具竿としての玉網は、上記の如く構成されたが、本発明においては、上記構成に限定されず、適宜設計変更可能である。
例えば、本実施形態において、係止部材２は、自然状態では直線状に維持されるように構成されたが、本発明における係止部材２は、直線が湾曲した曲線状に維持されるように構成されていても良い。
【００３６】
【発明の効果】
以上のように、本発明に係る釣具竿は、係止部材が設けられているにもかかわらず、他の釣竿等の釣具竿と共にロッドケースに収容しても、他の釣具竿を損傷させる虞も少なく、しかも、係止部材を使用しない場合には、係止部材が釣りの邪魔になる虞も少ないという利点を有する。
【図面の簡単な説明】
【図１】釣具竿を示す一部省略側面図。
【図２】（イ）は、図１のＡ−Ａ線断面図。
（ロ）は、（イ）の係止部材が出状態となった際の断面図。
【図３】（イ）は、没状態における線状部材及び保持部材を保持部材の内側から見た状態図。
（ロ）は、出状態における線状部材及び保持部材を保持部材の内側から見た状態図。
【図４】他の形態を示す一部省略上面図。
【図５】実施形態の釣具竿を示す概略的正面図。
【図６】同実施形態の係止部材を示す一面図。
【図７】同実施形態の係止部材の出状態を示す側面図。
【図８】同実施形態の係止部材の没状態を示す側面図。
【図９】同実施形態の係止部材を竿本体に取り付ける過程の一状態を示す斜視図。
【図１０】同実施形態の係止部材を竿本体に取り付ける過程の一状態を示す斜視図。
【図１１】同実施形態の釣具竿を示す概略図。
【図１２】従来の係止部材（尻手環）が設けられた釣具竿（釣竿）を示す側面図。
【図１３】従来の係止環が設けられた釣具竿（玉網）を示す斜視図。
【符号の説明】
１・・・竿本体
２・・・線状部材（係止部材）
【図１】
0003547087.tif 000002
【図２】
0003547087.tif 000003
【図３】
0003547087.tif 000004
【図４】
0003547087.tif 000005
【図５】
0003547087.tif 000006
【図６】
0003547087.tif 000007
【図７】
0003547087.tif 000008
【図８】
0003547087.tif 000009
【図９】
0003547087.tif 000010
【図１０】
0003547087.tif 000011
【図１１】
0003547087.tif 000012
【図１２】
0003547087.tif 000013
【図１３】
0003547087.tif 000014